(57)【要約】【課題】本発明は、スイッチの操作感触を保持し、かつ、組立作業性を向上するスイッチ機構を提供する。【解決手段】スイッチ機構は、曲面を有しかつ複数の押下部を有するパネル部と、前記パネル部の曲面の凹側に対向した位置に設けられた略平面状の基板と、前記基板の前記パネル部側に取り付けられた高さが略同一の複数のスイッチと、前記複数の押下部と前記複数のスイッチとの間に位置し前記スイッチに取り付けられるスペーサとからなり、前記スペーサは、前記パネル部の曲面と前記スイッチの距離にあわせて高さが異なる複数のスペーサ部と、これらスペーサ部を列状に連結する連結部とからなり、前記スペーサを前記複数のスイッチに取り付けたとき、前記連結部がたわみを有するものである。【選択図】  図６
2004281115.tif 000002
【特許請求の範囲】
【請求項１】
曲面を有しかつ押下部を有するパネル部と、前記パネル部の曲面の凹側に対向する位置に設けられた略平面状の基板と、前記基板の前記パネル部側に取り付けられた高さが略同一の複数のスイッチと、前記押下部と前記スイッチとの間に位置し前記スイッチに取り付けられるスペーサとからなり、前記スペーサは、前記パネル部の押下部と前記スイッチの距離にあわせて高さが異なるスペーサ部と、これらスペーサ部を列状に連結する連結部とからなり、前記スペーサを前記スイッチに取り付けたとき、前記連結部がたわみを有するスイッチ機構。
【請求項２】
スペーサ部と連結部とが同一の弾性体からなる請求項１記載のスイッチ機構。
【請求項３】
レーザ装置本体と前記レーザ装置本体にファイバーで接続されるレーザ照射部とからなるレーザ装置であって、前記レーザ装置本体は、レーザ発信部と、キー入力部と、パネル部と、請求項１または２に記載のスイッチ機構を有するレーザ装置。
【発明の詳細な説明】
【０００１】
【発明の属する技術分野】
本発明は機器のスイッチ機構およびこのスイッチ機構を備えた機器に関するものである。
【０００２】
【従来の技術】
基板上に配置した複数のスイッチを操作させる場合、基板が平面であることから、操作面も平面にデザインされることが一般的である。しかし、デザインの斬新性を求める目的で、あえて操作面を曲面とし、この曲面に操作部を設ける場合がある。そして、このように曲面に操作部を設ける場合、基板上に設けられた各スイッチと曲面に設けられた押下部である各押しボタンとの間の距離が異なるので、この距離の違いを補うために、長さが異なるスペーサを用いるものが知られている。
【０００３】
また、操作ボタンを配設した部分のケース表面が曲面である機器の操作ボタン構造として、複数のボタンを備えたボタンシートが弾性を有する１枚の平面状シートで形成され、このシートを曲面に沿わせて配置し、さらに、複数のスイッチを備えたキーボードスイッチをこのシートに沿わせて配置したものが知られている（例えば特許文献１参照）。
【０００４】
【特許文献１】
特開平７−２２０５７３号公報（第５図）
【０００５】
【発明が解決しようとする課題】
しかし、従来の方法においては、操作部を設ける曲面が緩やかな場合、スペーサの長さの違いは小さく、スイッチと曲面との間の距離に適したスペーサを見分けることが困難であり、組み立て効率を悪化させていた。また、長さが異なるスペーサを識別する方法として、スペーサの長さにより色や形状を変える方法が考えられるが、この方法においても、スペーサの識別は組立作業者の注意に頼ることが多く、作業者の負担が大きく、スペーサの取り付け間違いを完全に防ぐことは困難であった。
【０００６】
また、各ボタンが一体となっているためにたわみを大きくとれない平面シートをボタンシートとして用いると、キーストロークが長い場合にはスイッチの操作感触を損なうという問題があった。
【０００７】
本発明は、上記従来の課題に鑑み、スイッチの操作感触を保持し、組立作業性を向上するスイッチ機構を提供することを目的とする。
【０００８】
【課題を解決するための手段】
上記目的を達成するために、本発明のスイッチ機構は、曲面を有しかつ押下部を有するパネル部と、前記パネル部の曲面の凹側に対向する位置に設けられた略平面状の基板と、前記基板の前記パネル部側に取り付けられた高さが略同一の複数のスイッチと、前記押下部と前記スイッチとの間に位置し前記スイッチに取り付けられるスペーサとからなり、前記スペーサは、前記パネル部の押下部と前記スイッチの距離にあわせて高さが異なるスペーサ部と、これらスペーサ部を列状に連結する連結部とからなり、前記スペーサを前記スイッチに取り付けたとき、前記連結部がたわみを有するものである。
【０００９】
この構成によれば、組立作業者は、異なる高さの複数のスペーサを容易にスイッチに装着させることができる。また、基板にスイッチを実装したときの取り付け位置のずれや、隣接するボタンを同時に操作した時でも、スイッチ及び操作シートの有する操作感触を保持することができる。
【００１０】
さらに、本発明のスイッチ機構は、スペーサ部と連結部とが同一の弾性体からなるものである。
【００１１】
この構成によれば、スペーサ部と連結部を製造するとき、金型に注入する弾性体材料は１種類であり、一回の注入作業で実施することができるので製造コストを下げることができる。
【００１２】
さらに、本発明のレーザ装置は、レーザ装置本体と前記レーザ装置本体にファイバーで接続されるレーザ照射部とからなるレーザ装置であって、前記レーザ装置本体は、レーザ発信部と、キー入力部と、パネル部と、上記記載のスイッチ機構を有するものである。
【００１３】
この構成によれば、レーザ装置は、基板にスイッチを実装したときの取り付け位置のずれや、隣接するボタンを同時に操作した時でも、スイッチ及び操作シートの有する操作感触を保持することができる。さらに、レーザ装置は機器組立時の組立工数を削減するとともにスペーサ部と連結部の製造コストを下げることができる。
【００１４】
【発明の実施の形態】
（実施の形態１）
以下、本発明の実施形態について、図１から図７を用いて説明する。
【００１５】
図１は、レーザ装置１を示す外観図であり、図１（ａ）は上面図、図１（ｂ）は正面図である。図１において、レーザ装置１を構成する上側ケースのパネル部３３の一部がデザイン性を考慮して曲面形状とされており、この曲面形状部分にレーザ装置１を操作するための６ケの押下部３５が設けられている。そして、この曲面部分には、図２に示す凸状のエンボス部を有する操作パネルシール２が貼りつけられている。
【００１６】
なお、実施の形態では、６ケの押下部３５を用いて説明しているが、押下部３５の数は２以上であれば何個でも良い。
【００１７】
また、レーザ装置１は、レーザを発信するレーザ発信部３１と、装置の運転条件を設定するキー入力部３２と、押下部３５とキー入力部３２とを備えたパネル部３３と、患部にレーザを照射するレーザ照射部３４と、スイッチ部（図示せず）を備えている。なお、スイッチ部はパネル部３３の裏面すなわちレーザ装置１の内部に設けられているので図１には示していない。このスイッチ部については、図３および図４を用いて後で説明する。
【００１８】
図２は、パネル部３３に貼り付けられた操作パネルシール２の上面図である。この操作パネルシール２には、６ケの押下部３５を構成する凸状のエンボス部３、４、５、６、７、８が設けられている。
【００１９】
図３は、操作パネルシール２を貼り付ける前のスイッチ部３６を示す概略断面図である。図３において、基板１９は、レーザ装置１の上側ケースの曲面部分のの凹側である裏側に、固定用ネジ１５、１６、１７、１８を用いて固定されている。そして、この基板１９の上側ケースの曲面の凹側に対向する面の、操作パネルシール２の凸状のエンボス部３、４、５、６、７、８に対向する位置に、スイッチ９、１０、１１、１２、１３、１４が取り付けられている。そして、これらスイッチは同一仕様のものであり、略同一の高さである。
【００２０】
図４は、操作パネルシール２を貼り付けた状態のスイッチ部３６を示す断面図である。図４において、操作パネルシール２は、レーザ装置１の上側ケースの曲面部分の表面に貼りつけられる。
【００２１】
図５は、スイッチ部３６のエンボス部４とスイッチ１０の拡大図である。図５に示すように、操作パネルシール２のエンボス部４の下面とスイッチ１０の凸部上端との間に高さＨの隙間が形成される。
【００２２】
ここで、図４に示すように、エンボス部３、４、５、６、７、８曲面に設けられており、スイッチ９、１０、１１、１２、１３、１４は平面状の基板に取り付けられているので、エンボス部３、４、５、６、７、８の下面とスイッチ９、１０、１１、１２、１３、１４との間の高さはそれぞれ異なった寸法となる。
【００２３】
図６は、エンボス部とスイッチとの間に設けられるスペーサ３７の外観図であり、図６（ａ）は正面図、図６（ｂ）は下面図、図６（ｃ）は断面図である。このスペーサ３７は、エンボス部とスイッチとの間の距離に適合するように、それぞれ高さが異なる複数のスペーサ部２０、２１、２２、２３、２４、２５と、これらスペーサ部をたわみを有して列状に連結する連結部２６、２７、２８、２９、３０とからなる。
【００２４】
図７は、スペーサ部の拡大断面図である。
【００２５】
スペーサ３７は、スペーサ部２０、２１、２２、２３、２４、２５の下面の凹部によりスイッチ９、１０、１１、１２、１３、１４の凸部に取り付けられる。
【００２６】
以上のように構成されたレーザ装置１において、押下部３５を押下する作用について説明する。
【００２７】
押下部３５を構成するエンボス部を押下すると、スペーサ３７を介してスイッチが押され、レーザ装置１は各スイッチに対応した動作を実行する。
【００２８】
ここで、スイッチを同時に押す場合について、従来のスイッチ機構と本願のスイッチ機構についての比較を述べる。従来のスイッチ機構のスペーサのように、スペーサ部間のたわみが少ないあるいはたわみが無い場合は、例えば１つのスペーサ部が押されると図８や図９に示すように、押されたスペーサ部の隣に位置するスペーサ部が引っ張れて傾いてしまう。また、複数のスイッチを同時に押下すると、スペーサ部が互いに引っ張り合って寄り合う方向に傾くので、傾かない場合に比べてスイッチを押下した時の操作感触が悪くなる。これに対して、本実施の形態のスイッチ機構のスペーサ３７は連結部２６、２７、２８、２９、３０を有しており、これら連結部はたわみを有しているので、例えば図１０に示すように１つのスペーサ部２１が押されてもその隣に位置するスペーサ部２０および２２は連結部２６および２７がたわむことでスペーサ部２１の方向へ傾くことはない。すなわち、隣合うスペーサ部が押される影響をうけることはない。従って、複数のスイッチを同時に押下する場合でも、スペーサ部が互いに引っ張り合う力を連結部のたわみが吸収するので、スペーサ部が寄り合って傾くことはなく、スイッチを１つ押下するときと同様に良好な操作感触を得ることができる。このように、連結部によりたわみを有していることで、隣り合うスペーサの影響を受けることなく良好な操作感触を得ることができる。
【００２９】
また、基板１９に設けられたスイッチにスペーサを取り付ける場合を考えると、スイッチの取り付け精度等の問題で各スイッチの間隔が所定の間隔より広くなった場合、たわみがない場合はスペーサを取り付けることができなくなるが、本実施の形態のスペーサ３７のように連結部がたわみを有することで、このたわみによりスイッチの取り付け誤差を吸収し、スイッチにスペーサ３７を取り付けることが可能となるので、設計裕度や製造裕度を持たせることができ、製造コストを低減することができる。
【００３０】
また、スペーサ部を１個１個の部品として独立して作成する場合は、スペーサ部とスイッチの組み合わせを間違える可能性があるが、本実施の形態のスペーサ３７のように、スペーサ部を連結部で列状に連結することで、列状に並んだスイッチにスイッチを取り付ける場合には、順にスペーサ部をスイッチに取り付ければよいので、作業者の負担を軽減し、取り付け間違いを抑制することができる。
【００３１】
また、スペーサ３７の材質をスイッチ動作の支障とならない程度の柔らかい材質とすることで、上記効果をさらに向上させることができる。
【００３２】
また、本実施の形態のスイッチ機構を備えることで機器の曲面に押下部を設けることができるようになり、機器のデザイン性の向上や機器の設計の自由度を向上することができる。
【００３３】
【発明の効果】
以上のように、本発明によれば、スイッチ機構の組立作業において、スイッチとスペーサ部との組み合わせ間違いを抑制し、組立品質の向上と組立工数の削減を実現できる。
【図面の簡単な説明】
【図１】（ａ）レーザ装置の上面図
（ｂ）レーザ装置の正面図
【図２】操作パネルシールの上面図
【図３】操作パネルシールを貼り付ける前のスイッチ部の断面図
【図４】操作パネルシールを貼り付けた後のスイッチ部の断面図
【図５】スイッチ部の拡大図
【図６】（ａ）スペーサの側面図
（ｂ）スペーサの下面図
（ｃ）スペーサの断面図
【図７】スペーサ部の拡大断面図
【図８】従来のスペーサを押下したときのスペーサ部の動きを示す概略斜視図
【図９】従来のスペーサを押下したときのスペーサ部の動きを示す概略正面図
【図１０】実施の形態１のスペーサを押下したときのスペーサ部の動きを示す概略斜視図
【符号の説明】
１  レーザ装置
２  操作パネルシール
３、４、５、６、７、８  エンボス部
９、１０、１１、１２、１３、１４  スイッチ
１５、１６、１７、１８  固定用ネジ
２０、２１、２２、２３、２４、２５  スペーサ部
２６、２７、２８、２９、３０  連結部
３１  レーザ発信部
３２  キー入力部
３３  パネル部
３４  照射部
３５  押下部
３６  スイッチ部
３７  スペーサ
【図１】
2004281115.tif 000003
【図２】
2004281115.tif 000004
【図３】
2004281115.tif 000005
【図４】
2004281115.tif 000006
【図５】
2004281115.tif 000007
【図６】
2004281115.tif 000008
【図７】
2004281115.tif 000009
【図８】
2004281115.tif 000010
【図９】
2004281115.tif 000011
【図１０】
2004281115.tif 000012